(57)【要約】【課題】  薬液の滞留や空気の残留を防止することができる弾性シール部を備えた一時閉鎖用プラグを提供する。【解決手段】  針部を刺突する弾性シール部１１と、弾性シール部１１の下流側に位置して針部を通して注入された液が流入する空間流路部８ａと、空間流路部８ａよりも下流側に位置して空間流路部８ａと連通する流路部８ｂとを有する一時閉鎖用プラグ６であって、空間流路部８ａに受け皿部１３を設け、この受け皿部１３に流入した液を流路部８ｂに流す流路を設けた。【選択図】        図３
2005334570.tif 000002
【特許請求の範囲】
【請求項１】
針部を刺突する弾性シール部と、該弾性シール部の下流側に位置して前記針部を通して注入された液が流入する空間流路部と、該空間流路部よりも下流側に位置して該空間流路部と連通する流路部とを有する一時閉鎖用プラグにおいて、
前記空間流路部に受け皿部を設け、該受け皿部に流入した液を前記流路部に流す流路を設けたことを特徴とする一時閉鎖用プラグ。
【請求項２】
前記受け皿部に、流入した液を受ける薬液受け部を設け、該薬液受け部の上流側周縁部より流出した液を、該薬液受け部の周縁外側に設けた薬液流路を通り、前記流路部側に流下させるようにしたことを特徴とする請求項１記載の一時閉鎖用プラグ。
【請求項３】
前記受け皿部に、流入した液を受ける薬液受け穴を備えた薬液受け部を設けると共に、該薬液受け部の外側周縁部に沿って周方向に流通穴を有し前記薬液受け部の上流側より流出した液を該流通穴を通って前記流路部側に流下させる薬液流路部を設け、さらに、該薬液流路部の外側周縁部に沿って壁部を備え前記流路部の内壁面に当接する支持部を設けたことを特徴とする請求項２記載の一時閉鎖用プラグ。
【請求項４】
前記薬液受け部の薬液受け穴がほぼ逆円錐形状又は円柱形状であることを特徴とする請求項３記載の一時閉鎖用プラグ。
【発明の詳細な説明】
【技術分野】
【０００１】
本発明は、輸液ラインに使用される一時閉鎖用プラグに係り、より詳しくは、薬液の滞留や空気の残留を防止することができる、弾性シール部を備えた一時閉鎖用プラグに関する。
【背景技術】
【０００２】
図１８は、注射部を抹消静脈カテーテルに連結して取り付けた輸液ラインの斜視図、図１９は図１８の注射部の断面図である。注射部３０は、第１の端部および第２の端部を有する円筒形のハウジング３３を形成する。ハウジング３３には、再シールしうるシール部３１の開口３２に鈍いカニューレを通し、このカニューレを通って注入された薬液が、流体流路３４を通ってカテーテル４０に流れ、患者の手に注入される（例えば、特許文献１参照）。
【０００３】
【特許文献１】特許第３４１１９８４号公報（第１頁、図４）
【発明の開示】
【発明が解決しようとする課題】
【０００４】
輸液ラインに使用されている従来の注射部３０では、図１９に示すように、シール部３１の下流側に広い空間部３５が設けられており、空間部３５のシール部付近の位置に薬液が滞留しやすいため、雑菌が繁殖する場合があった。また、プライミング時の空気抜きが困難であり、空気が残留してしまう場合もあった。この状態において使用すると、空気が患者の血管内に入り、死に至るおそれもあった。
【０００５】
本発明は上記のような課題を解決するためになされたもので、薬液の滞留や空気の残留を防止することができる弾性シール部を備えた一時閉鎖用プラグを提供することを目的とする。
【課題を解決するための手段】
【０００６】
本発明は、針部を刺突する弾性シール部と、該弾性シール部の下流側に位置して前記針部を通して注入された液が流入する空間流路部と、該空間流路部よりも下流側に位置して前記空間流路部と連通する流路部とを有する一時閉鎖用プラグであって、前記空間流路部に受け皿部を設け、該受け皿部に流入した液を前記流路部に流す流路を設けたものである。
【０００７】
また、受け皿部に、流入した液を受ける薬液受け部を設け、該薬液受け部の上流側周縁部より流出した液を、該薬液受け部の周縁外側に設けた薬液流路を通り、前記流路部側に流下させるようにしたものである。
【０００８】
さらに、受け皿部に、流入した液を受ける薬液受け穴を備えた薬液受け部を設けると共に、該薬液受け部の外側周縁部に沿って周方向に流通穴を有し前記薬液受け部の上流側より流出した液を該流通穴を通って流路部側に流下させる薬液流路部を設け、さらに、該薬液流路部の外側周縁部に沿って壁部を備え前記流路部の内壁面に当接する支持部を設けたものである。
【０００９】
また、薬液受け部の薬液受け穴がほぼ逆円錐形状又は円柱形状であるようにしたものである。
【発明の効果】
【００１０】
本発明は空間流路部に受け皿部を設けたので、空間流路部に薬液が滞留することがなく、空気の残留を防止することができる。
【発明を実施するための最良の形態】
【００１１】
［実施の形態１］
図１は一端に一時閉鎖用プラグを接続した輸液ラインの正面図である。図において、輸液ラインは、チューブ１、チューブ１の一端に取り付けられた接続部２、チューブ１の他端に取り付けられたアダプター３、アダプター３と接続する第１の三方活栓４、第１の三方活栓４と接続する第２の三方活栓５、及び第２の三方活栓５と螺合接続する一時閉鎖用プラグ６によって構成されている。
【００１２】
図２（ａ），（ｂ）は図１に示す一時閉鎖用プラグ６の正面図およびその平面図、図３は図２（ａ）の縦断面図、図４は図３の要部の縦断面図、図５は図４の平面図である。一時閉鎖用プラグ６は、ほぼ円筒状をなすハウジング７からなり、その中心部の軸方向には、上流側に設けられた逆円錐台形状のＶ形流路８ａと、その下流側に連通する円柱流路８ｂとにより、断面ほぼＹ字状の漏斗流路８が設けられている。そして、Ｖ形流路８ａはその外壁の一部がハウジング７の内壁に接続され、円柱流路８ｂの下流側端部８ｃはハウジング７の下流側端部７ａよりも下流側に突出している。
【００１３】
漏斗流路８の上流側に位置するハウジング７内には上流空間部９が設けられており、また、漏斗流路８の下流側外壁８ｄとハウジング７の内壁７ｂとの間には下流空間部１０が設けられ、下流空間部１０のハウジング７の内壁７ｂには螺線７ｃが設けられている。
【００１４】
ハウジング７の上流空間部９には、再シール可能なゴム製でほぼ円柱形をなすシール部１１が充填されており、シール部１１の下流側は、漏斗流路８のＶ形流路８ａの上流側端部８ｆによって支持され、上流側は、ハウジング７の上流側端部７ｄの外周縁に係合する環状の係止部７ｅによって押圧支持されている。そして、シール部１１の上面１１ａは、その縁部を支持する環状の係止部７ｅの上面と同一の平面をなし、シール部１１の下面１１ｂは、凹状の円弧面に形成されている。なお、シール部１１のほぼ中央部には、プラスチックカニューレ等を差し込むためのスリット１１ｃが設けられている。
【００１５】
シール部１１の下面１１ｂと漏斗流路８のＶ形流路８ａ内壁とによって囲まれた部分には、Ｖ形流路空間部１２が形成され、ここには、シール部１１を通って薬液が流入したとき、空気残りが生じたり、液溜まりが生じるのを防ぐため、受け皿部１３が取り付けられている。
【００１６】
受け皿部１３は、図４に示すように、下流側に縮径する逆円錐形状の薬液受け部１４を有し、薬液受け部１４には断面Ｖ字形の薬液受け穴１４ａが設けてある。そして、薬液受け部１４の上流端の外縁部に沿って環状の薬液流路部１５が設けられ、薬液流路部１５にはほぼ９０度間隔で周方向に広がった流通穴１５ａが設けられている。さらに、薬液流路部１５の外側には支持部１６が設けられており、この支持部１６は薬液受け部１４の上流端よりもさらに上流側まで延設され、その外壁が漏斗流路８のＶ形流路８ａの内壁８ｅに当接して支持されている。なお、薬液流路部１５の上流側の面１５ｂは、内側方向に傾斜する傾斜面によって形成されているが、薬液受け部１４の傾斜面１４ｂよりもやや緩和されている。
【００１７】
なお、受け皿部１３の流路位置や薬液受け部１４の位置は、一時閉鎖用プラグ６や、使用されるプラスチックカニューレによって、様々な位置が考えられ、また、受け皿部１３の流路の形状も様々な形状が考えられる。
また、薬液流路部１５及び流通穴１５ａは、上記の説明では薬液受け部１４と支持部１６との間に形成したが、たとえば支持部１６側にさらに拡幅したものであってもよく、幅の広狭を限定するものではない。
【００１８】
上記のように構成した実施の形態１の作用を説明する。図１に示す輸液ラインの一時閉鎖用プラグ６のシール部１１のスリット１１ｃに、例えば図６（一部を断面、透視で示した外観図）に示すように、接続部２の鈍針２ａを刺し、鈍針２ａを通して一時閉鎖用プラグ６のＶ形流路空間部１２に薬液を注入する。こうして、鈍針２ａからＶ形流路空間部１２に入った薬液は、図７（一部を断面、透視で示した外観図）の矢印に示すように、一旦、薬液受け部１４の薬液受け穴１４ａに貯留され、そののち、その上流側より薬液流路部１５の流通穴１５ａに流れ、ついで、漏斗流路８のＶ形流路８ａの内壁８ｅと薬液受け部１４の外壁１４ｃとの間に形成された流路１８を通って、円柱流路８ｂに至る。
【００１９】
また、先の場合とは異なり、図１に示す輸液ラインの一時閉鎖用プラグ６のシール部１１のスリット１１ｃに、図８（一部を断面、透視で示した外観図）に示すように、プラスチックカニューレ１９のプラスチックカニューレ先端部１９ａを刺した場合は、プラスチックカニューレ先端部１９ａを通して一時閉鎖用プラグ６のＶ形流路空間部１２に薬液を注入する。この場合も先と同様に、プラスチックカニューレ先端部１９ａを通して一時閉鎖用プラグ６のＶ形流路空間部１２に薬液を注入する。こうして、プラスチックカニューレ先端部１９ａを介してシール部１１を通過しＶ形流路空間部１２に入った流体は、図７の矢印に示した場合と実質的に同様に、一端、円錐状の薬液受け部１４の薬液受け穴１４ａに留置され、そののち、その上流側より薬液流路部１５の流通穴１５ａに流れ、そののち、漏斗流路８のＶ形流路８ａの内壁８ｅと薬液受け部１４の外壁１４ｃとの間に形成された流路１８を通って、円柱流路８ｂに至る。
上記の構成では、ハウジング７に受け皿部１３を取り付け自在に取り付けたが、この受け皿部１３はハウジング７と一体に成型してもよい。
【００２０】
本実施の形態においては、シール部１１下流側のＶ形流路空間部１２に受け皿部１３を取り付けて流路を形成し、空間部にデッドスペースが生じないようにした。すなわち、Ｖ形流路空間部１２に受け皿部１３を取付けて空間部のスペースを減らし、薬液受け部１４の外周に薬液の流れを形成するようにしたので、プライミング時に空間部内の空気を排出して空気の溜まりを防止することができ、空間部における空気残りを解消することができる。また、薬液は注入口から排出口まで滞留することなく流れ、薬液の滞留を解消することができる。
【００２１】
［実施の形態２］
図９（ａ），（ｂ）は、実施の形態２に係る受け皿部の縦断面図及びその平面図である。図に示すように、受け皿部１３は、下流側が逆円錐台形状で上流側が円柱形をなす薬液受け部１４を有し、円柱部の上流側には浅い円柱形の薬液受穴１４ａが設けてある。薬液受け部１４の円柱部の下部近傍にはその外縁部に環状の薬液流路部１５が設けられ、その周方向には隣接して複数の流通穴１５ａが形成されている。さらに、薬液流路部１５の外側には支持部１６が形成されており、この支持部１６は薬液受け部１４の薬液受け穴１４ａよりもやや上流側に至るほぼ円筒状の壁部１７を形成し、その外壁１６ａが漏斗流路８のＶ形流路８ａの内壁８ｅに当接して支持されるようになっている。そして、支持部１６の内壁と薬液受け部１４の外壁との間に、薬液流路部１５の流通穴１５ａにつながる流路２０を形成している。
その他の構成は、実施の形態１で示した場合と実質的に同一なので、説明を省略する。
【００２２】
上記のように構成した本実施の形態２の作用を説明する。シール部１１を通過してＶ形流路空間部１２に入った薬液は、一旦、薬液受け部１４の薬液受け穴１４ａに貯留され、そののち上流側より流路２０を通って薬液流路部１５の流通穴１５ａに流れ、ついで、漏斗流路８のＶ形流路８ａの内壁８ｅと薬液受け部１４の外壁１４ｃとの間に形成された流路１８を通って、円柱流路８ｂに至る。
その他の作用、効果は、実施の形態１で示した場合と実質的に同様なので、説明を省略する。
【００２３】
［実施の形態３］
図１０（ａ），（ｂ）は、実施の形態３に係る受け皿部の縦断面図及びその平面図である。実施の形態２では、受け皿部１３の薬液流路部１５の周方向に隣接して複数の流通穴１５ａを形成した場合を示したが、本実施の形態３では、周方向にほぼ９０度の間隔で流通穴１５ａを４箇所に設けたものである。
その他の構成、作用、効果は、実施の形態２で示した場合と実質的に同様なので、説明を省略する。
【００２４】
［実施の形態４］
図１１（ａ），（ｂ）は、実施の形態４に係る受け皿部の縦断面図及びその平面図である。実施の形態２では、受け皿部１３の薬液流路部１５の周方向に隣接して複数の流通穴１５ａを形成した場合を示したが、本実施の形態４では、周方向にほぼ１２０度の間隔で流通穴１５ａを３箇所に設けたものである。
その他の構成、作用、効果は、実施の形態２で示した場合と実質的に同様なので、説明を省略する。
【００２５】
［実施の形態５］
図１２（ａ），（ｂ）は、実施の形態５に係る受け皿部の縦断面図及びその平面図である。図に示すように、受け皿部１３は、下流側に縮径する逆円錐台形状の薬液受け穴１４ａを備えた逆円錐台形状の薬液受け部１４を有し、その上流端の外縁部に環状の薬液流路部１５が設けられ、薬液流路部１５の周方向に複数の流通穴１５ａが隣接した状態で設けられている。さらに、薬液流路部１５の外側には支持部１６が設けられており、この支持部１６は、薬液流路部１５の上流端よりもやや上流側から薬液受け部１４のほぼ中央近傍までほぼ円筒状の壁部１７で形成され、その外壁１６ａが漏斗流路８のＶ形流路８ａの内壁８ｅに当接して支持されている。そして、薬液流路部１５の下流側であって支持部１６の内壁１６ｂと薬液受け部１４の外壁１４ｃとの間には通路部２１が形成され、薬液流路部１５の流通穴１５ａを通った薬液が通路部２１に流れるようになっている。
その他の構成、作用、効果は、実施の形態１で示した場合と実質的に同様なので、説明を省略する。
【００２６】
［実施の形態６］
図１３（ａ），（ｂ）は、実施の形態６に係る受け皿部の縦断面図及びその平面図である。実施の形態５では、受け皿部１３の薬液流路部１５の周方向に隣接して複数の流通穴１５ａを形成した場合を示したが、本実施の形態６では、周方向にほぼ９０度の間隔で流通穴１５ａを４箇所に設けたものである。
その他の構成、作用、効果は、実施の形態１で示した場合と実質的に同様なので、説明を省略する。
【００２７】
［実施の形態７］
図１４（ａ），（ｂ）は、本実施の形態７に係る受け皿部の縦断面図及びその平面図である。実施の形態５では、受け皿部１３の薬液流路部１５の周方向に隣接して複数の流通穴１５ａを形成した場合を示したが、本実施の形態７では、周方向にほぼ１２０度の間隔で流通穴１５ａを３箇所に設けたものである。
その他の構成、作用、効果は、実施の形態１で示した場合と実質的に同様なので、説明を省略する。
【００２８】
［実施の形態８］
図１５（ａ），（ｂ）は、本実施の形態８に係る受け皿部の縦断面図及びその平面図である。図に示すように、受け皿部１３は、下流側が逆円錐台形状で上流側が円柱形状をなす薬液受け部１４を有し、円柱部には上流側に向かって逆円錐台形状の薬液受け穴１４ａが設けてある。薬液受け部１４の円柱部の上流側端部にはその外縁部に環状の薬液流路部１５が設けられ、その周方向に隣接して複数の流通穴１５ａが形成されている。さらに、薬液流路部１５の外側には支持部１６が形成されており、この支持部１６は、薬液流路部１５の上流端よりもやや上流側から薬液受け部１４のほぼ中央近傍までほぼ円筒状の壁部１７で形成され、その外壁１６ａが漏斗流路８のＶ形流路８ａの内壁８ｅに当接して支持される。そして、薬液流路部１５の下流側であって支持部１６の内壁１６ｂと薬液受け部１４の外壁１４ｃとの間には通路部２１が形成され、薬液流路部１５の流通穴１５ａを通った薬液が通路部２１に流れるようになっている。
その他の構成、作用、効果は、実施の形態１で示した場合と実質的に同様なので説明を省略する。
【００２９】
［実施の形態９］
図１６（ａ），（ｂ）は、本実施の形態９に係る受け皿部の縦断面図及びその平面図である。実施の形態８では、受け皿部１３の薬液流路部１５の周方向に沿って隣接して複数の流通穴１５ａを形成した場合を示したが、本実施の形態９では、周方向にほぼ９０度の間隔で流通穴１５ａを４箇所に設けたものである。
その他の構成、作用、効果は、実施の形態１で示した場合と実質的に同様なので、説明を省略する。
【００３０】
［実施の形態１０］
図１７（ａ），（ｂ）は、本実施の形態１０に係る受け皿部の縦断面図及びその平面図である。実施の形態８では、受け皿部１３の薬液流路部１５の周方向に沿って隣接した複数の流通穴１５ａを設けた場合を示したが、本実施の形態１０では、周方向にほぼ１２０度の間隔で流通穴１５ａを３箇所に設けたものである。
その他の構成、作用は、実施の形態１で示した場合と実質的に同様なので、説明を省略する。
【図面の簡単な説明】
【００３１】
【図１】本発明の実施の形態１に係る輸液ラインの正面図である。
【図２】図１に示す一時閉鎖用プラグの正面図及びその平面図である。
【図３】図２の縦断面図である。
【図４】図３の受け皿部の縦断面図である。
【図５】図４の平面図である。
【図６】実施の形態１の一時閉鎖用プラグの作用説明図である。
【図７】図６の要部の作用説明図である。
【図８】実施の形態１の一時閉鎖用プラグの作用説明図である。
【図９】本発明の実施の形態２に係る受け皿部の縦断面図およびその平面図である。
【図１０】本発明の実施の形態３に係る受け皿部の縦断面図およびその平面図である。
【図１１】本発明の実施の形態４に係る受け皿部の縦断面図およびその平面図である。
【図１２】本発明の実施の形態５に係る受け皿部の縦断面図およびその平面図である。
【図１３】本発明の実施の形態６に係る受け皿部の縦断面図およびその平面図である。
【図１４】本発明の実施の形態７に係る受け皿部の縦断面図およびその平面図である。
【図１５】本発明の実施の形態８に係る受け皿部の縦断面図およびその平面図である。
【図１６】本発明の実施の形態９に係る受け皿部の縦断面図およびその平面図である。
【図１７】本発明の実施の形態１０に係る受け皿部の縦断面図およびその平面図である。
【図１８】注射部位をもった従来のカテーテルの斜視図である。
【図１９】図１８の要部の縦断面図である。
【符号の説明】
【００３２】
６  一時閉鎖用プラグ、８  漏斗流路  ８ａ  Ｖ形流路、８ｂ  円柱流路、１１  シール部、１２  Ｖ形流路空間部、１３  受け皿部、１４  薬液受け部、１４ａ  薬液受け穴、１５  薬液流路部、１５ａ  流通穴、１６  支持部、１７  壁部、２０  流路、２１  通路部。
【図１】
2005334570.tif 000003
【図２】
2005334570.tif 000004
【図３】
2005334570.tif 000005
【図４】
2005334570.tif 000006
【図５】
2005334570.tif 000007
【図６】
2005334570.tif 000008
【図７】
2005334570.tif 000009
【図８】
2005334570.tif 000010
【図９】
2005334570.tif 000011
【図１０】
2005334570.tif 000012
【図１１】
2005334570.tif 000013
【図１２】
2005334570.tif 000014
【図１３】
2005334570.tif 000015
【図１４】
2005334570.tif 000016
【図１５】
2005334570.tif 000017
【図１６】
2005334570.tif 000018
【図１７】
2005334570.tif 000019
【図１８】
2005334570.tif 000020
【図１９】
2005334570.tif 000021